(57)【特許請求の範囲】
【請求項１】
ハンドルと、
該ハンドルに回転可能に支持されている４個のローラー支持体と、
該各ローラー支持体にそれぞれ回転可能に支持された２個のローラーとを有し、
上記各ローラーは、上記ハンドルよりも下方に位置しており、
上記ローラー支持体における上記ハンドルに対する回転軸線と、上記２個のローラーの両重心を通る仮想直線とは、互いにねじれの位置にあるように構成されており、
所定の側方から見て、隣り合う少なくとも２個の上記ローラー支持体における上記回転軸線は、上記ハンドルから下方に進むにつれて互いに離隔している、美容器。
【請求項２】
上記４個のローラー支持体のうち、２個のローラー支持体における上記回転軸線は、互いに同一平面上に位置している、請求項１に記載の美容器。
【請求項３】
上記ハンドルは、上方に突出するようにアーチ状に湾曲している、請求項１又は２に記載の美容器。
【請求項４】
上記２個のローラーは、上記ローラー支持体に支持されて自由端側が開くように傾斜された一対のローラーシャフトの自由端に回転可能に支持されている、請求項１〜３のいずれか一項に記載の美容器。
【発明の詳細な説明】
【技術分野】
【０００１】
本発明は、美容器に関する。
【背景技術】
【０００２】
従来、肌を回転体によって押圧等してマッサージ効果を奏する美容器が種々提案されている。このような美容器の例として、特許文献１には、肌を押圧するための多数の車輪状の回転体を有するものが開示されている。この美容器では、一対の第１回転体が第１揺動体としてのシャフトの両端にそれぞれ設けられており、当該第１揺動体には第２揺動体としての揺動棒が接続されている。そして、第１回転体は第１揺動体により第１の方向に揺動されるとともに第２揺動体により第２の方向に揺動される。また、一対の第２回転体が第３揺動体としてのシャフトの両端にそれぞれ設けられており、当該第３揺動体には第４揺動体としての揺動棒が接続されている。そして、第２回転体は第３揺動体により第１の方向に揺動されるとともに第４揺動体により第２の方向に揺動される。さらに、第２揺動体と第４揺動体とが連結体により連結されている。かかる構成によって、この美容器は第１回転体と第２回転体とを肌面に沿って揺動させることにより、肌面に合わせたマッサージを可能としている。
【先行技術文献】
【特許文献】
【０００３】
【特許文献１】実開平７−１３３２８号公報
【発明の概要】
【発明が解決しようとする課題】
【０００４】
しかしながら、特許文献１に開示の構成では、第２揺動体の回転軸の軸線方向から見て、第２揺動体の回転軸の軸線は、第１回転体の回転中心を通る仮想直線とほぼ重なっている。また、同様に、第４揺動体の軸線方向からみて、第４揺動体の回転軸の軸線方向から見て、第４揺動体の回転軸は、第３揺動体による第２回転軸の回転中心を通る仮想直線とほぼ重なっている。これらにより、腕、足、腰、脇腹などの様々な部分を、回転体によって抱え込むように施術することは困難であり、使い勝手が悪い。そのため、様々な部分を十分にマッサージするには、改善の余地がある。
【０００５】
本発明は、かかる背景に鑑みてなされたものであり、体の様々な部位に使用できて使い勝手のよい美容器を提供しようとするものである。
【課題を解決するための手段】
【０００６】
本発明の一態様は、ハンドルと、
該ハンドルに回転可能に支持されている４個のローラー支持体と、
該各ローラー支持体にそれぞれ回転可能に支持された２個のローラーとを有し、
上記各ローラーは、上記ハンドルよりも下方に位置しており、
上記ローラー支持体における上記ハンドルに対する回転軸線と、上記２個のローラーの両重心を通る仮想直線とは、互いにねじれの位置にあるように構成されており、
所定の側方から見て、隣り合う少なくとも２個の上記ローラー支持体における上記回転軸線は、上記ハンドルから下方に進むにつれて互いに離隔している、美容器にある。
【発明の効果】
【０００７】
上記一態様の美容器によれば、各ローラーは、ハンドルよりも下方に位置しており、ローラー支持体におけるハンドルに対する回転軸線と、当該ローラー支持体に設けられた２個のローラーの両重心を通る仮想直線とが、互いにねじれの位置にあるように構成されている。そして、所定の側方から見て、隣り合う少なくとも２個のローラー支持体における回転軸線は、ハンドルから下方に進むにつれて互いに離隔している。そのため、腕、足、腰、脇腹などの比較的大きく湾曲する肌面に合計８個のローラーすべてを当接させた状態で肌面に沿わせて動かすことができるとともに、合計８個のローラーによってこれらの様々な部分を抱え込むように施術することができる。また、かかる構成を有することにより、肌面にローラーを追従させやすくなり、施術時に手首を過度にひねったりする必要がないため、使い勝手がよい。
【０００８】
例えば、従来の構成の美容器では、使用時において、ハンドルを右手で把持して左わき腹を施術する場合には、ローラーを肌面に当てるために、手首を大きく捻ってハンドルを肌面に対して立てた状態にしなければならない。しかしながら、上記一態様の美容器によれば、ハンドルを右手で把持して左わき腹に施術する場合であっても、ローラー支持体が回動することにより、手首を大きく捻ってハンドルを肌面に対して立てなくても、ローラーを肌面に当てて施術することができる。これにより、使い勝手が良くなっている。
【０００９】
さらに、上記一態様の美容器によれば、特許文献１に開示された従来の美容器よりも、可動箇所が少なくなっており、構成が簡素化されている。その上で、８個のローラーによって肌面を抱え込むようにすることができ、従来の美容器よりもローラーと肌面との密着性を高めて、高いマッサージ効果を奏することができる。
【００１０】
以上のように、本発明は、体の様々な部位に使用できて使い勝手のよい美容器を提供することができる。
【図面の簡単な説明】
【００１１】
【図１】実施例１における、美容器の斜視図。
【図２】実施例１における、美容器の上面図。
【図３】実施例１における、美容器の正面図。
【図４】実施例１における、美容器の側面図。
【図５】図２における、V-V線位置断面図。
【図６】図２における、VI-VI線位置断面図。
【図８】実施例１における、ローラーユニットの正面図。
【図７】実施例１における、美容器の分解斜視図。
【図９】実施例１における、ローラーユニットの分解斜視図。
【図１０】図３における、VII-VII線位置断面図。
【図１１】実施例１における、ローラーユニットのローラー及び上面カバーを外した状態の正面斜視図。
【図１２】実施例１における、ローラーユニットシャフト及びワッシャの斜視図。
【図１３】実施例１における、美容器の使用態様を説明する模式図。
【図１４】実施例１における、美容器の使用態様を説明する模式図。
【図１５】実施例１における、美容器の使用態様を説明する模式図。
【図１６】実施例１における、美容器の使用態様を説明する模式図。
【図１７】実施例１における、美容器の使用態様を説明する模式図。
【図１８】実施例１における、美容器の使用態様を説明する模式図。
【図１９】実施例１における、美容器の使用態様を説明する模式図。
【図２０】実施例１における、美容器の使用態様を説明する模式図。
【図２１】実施例１における、美容器の使用態様を説明する模式図。
【図２２】実施例１における、美容器の使用態様を説明する模式図。
【図２３】実施例１における、美容器の使用態様を説明する模式図。
【図２４】変形例における、ローラーの斜視図。
【図２５】実施例２における、美容器の上面図。
【図２６】実施例２における、美容器の側面図。
【発明を実施するための形態】
【００１２】
本明細書において、ローラーの重心とは、ローラーの幾何学的重心を意味するものである。
【００１３】
本明細書では、上記各ローラー支持体の全てを貫通する平面を仮想基準平面として、仮想基準平面から、当該仮想基準面により二分された領域の一方側への方向を下方とし、他方側への方向を上方とする。また、当該仮想基準面に平行な方向を側方とする。
【００１４】
上記４個のローラー支持体のうち、２個のローラー支持体における上記回転軸線は、互いに同一平面上に位置するようにしてもよい。この場合には、当該２個のローラー支持体におけるローラー間で肌面の抱え込みがしやすくなり、使い勝手が向上する。
【００１５】
上記ハンドルは、上方に突出するようにアーチ状に湾曲していることが好ましい。この場合には、ハンドルを片手で把持した状態ですべてのローラーを肌面に接するようにすることができる。また、ハンドルからの力が、各ローラーに伝達しやすくなり、ローラーを体に強く押し付ける事ができる。
【００１６】
上記２個のローラーは、上記ローラー支持体に支持されて自由端側が開くように傾斜された一対のローラーシャフトの自由端に回転可能に支持されていることが好ましい。この場合は、上記２個のローラーの回転軸線が先広がり状に配置されるため、上記２個のローラーの回転軸線が進行方向に対して、前傾している際には上記２個のローラーにより肌面を押圧することができ、後傾している際には上記２個のローラー間で肌面を摘み上げることができ、高いマッサージ効果を奏する。さらに、ローラーと肌面との密着性が一層高まるため、ローラーと肌面とが密着した状態が維持されるように、ローラー支持体がローラーユニットシャフトを介して回転しやすくなる。その結果、美容器を肌面に沿わせて動かしたときにおけるローラーの追従性が向上する。
【実施例】
【００１７】
（実施例１）
上記美容器の実施例について、以下に説明する。
実施例１における美容器１は、図１、図２に示すように、ハンドル１２と、ローラー支持体２０１、２０２、２０３、２０４と、ローラー２７１、２７２、２７３、２７４、２７５、２７６、２７８とを有する。
ローラー支持体２０１〜２０４は４個備えられ、ハンドル１２に回転可能に支持されている。
ローラー２７１〜２７８は、各ローラー支持体２０１〜２０４にそれぞれ回転可能に２個ずつ支持されている。
【００１８】
図３、図４に示すように、各ローラー２７１〜２７８は、ハンドル１２よりも下方Ｚ２に位置している。
図８、図１９に示すように、ローラー支持体２０１〜２０４におけるハンドル１２に対する回転軸線３０３と、２個のローラー２７１、２７２の両重心Ｇ１、Ｇ２を通る仮想直線ＧＬとが、互いにねじれの位置にあるように構成されている。
そして、図３に示すように、所定の側方Ｙ２から見て、隣り合う少なくとも２個のローラー支持体２０１、２０２における回転軸線３０３は、ハンドル１２から下方Ｚ２に進むにつれて互いに離隔している。
【００１９】
本例では、図１、図３に示すように、各ローラー支持体２０１〜２０４の全てを貫通する平面を仮想基準平面Ｖとして、仮想基準平面Ｖから、当該仮想基準面Ｖにより二分された領域の一方の領域Ｖａへの方向を下方Ｚ２とし、他方の領域Ｖｂへの方向を上方Ｚ１とする。また、本例では、図２に示すように、ハンドル１２の長手方向をＹとし、その中央から長手方向Ｙの第１端部１２ａに向かう方向を一端方向Ｙ１とし、第２端部１２ｂに向かう方向を他端方向Ｙ２とする。そして、仮想基準面Ｖは、ハンドル１２の長手方向Ｙに平行となっており、長手方向Ｙにおける他端方向Ｙ２を所定の側方とする。
【００２０】
以下、本例の美容器１について、詳述する。
図１、図２、図４に示すように、美容器１は、略棒状のハンドル１２を備える。本例では、ハンドル１２は、図５、図６に示すように、ベース体１３、第１カバー体１４及び第２カバー体１５を備える。図７に示すように、ベース体１３の外周縁全体には、リング状のパッキン１３１が取り付けられている。第２カバー体１５の内側には、一端方向Ｙ１の端部及び他端方向Ｙ２の端部に、グリス１５１、１５２がそれぞれ設けられている。そして、ベース体１３に第１カバー体１４及び第２カバー体１５が装着されて、当該パッキン１３１が第１カバー体１４の開口内周縁に圧接されることにより、第１カバー体１４と第２カバー体１５との隙間からハンドル１２の内部に水が侵入することを防止している。これにより、ハンドル１２の内部のベース体１３に備えられた電装品に水が及ばないようにしている。
【００２１】
本例では、図４に示すように、ハンドル１２は、上方Ｚ１に突出するようにアーチ状に湾曲している。また、図２に示すように、ハンドル１２の幅（短手方向Ｘの長さ）は、長手方向Ｙにおいて、ローラー支持体２０１、２０２が設けられている第１端部１２ａ及び第２端部１２ｂ付近から中央に向かうにつれて細くなっている。これにより、ハンドル１２の中央部を把持しやすくなっている。ハンドル１２の中央が把持されることにより、ハンドル１２を把持した手がローラー支持体２０１〜２０４やローラー２７１〜２７８に干渉することが防止され、使い勝手が良くなる。なお、ハンドル１２を把持した手が滑るのを防止するために、ハンドル１２の表面に滑り止め用の突起や微細な凹凸を設けたり、ハンドル１２の表面の少なくとも一部にゴム等の滑り止め部材を設けたりしてもよい。
【００２２】
図１、図２、図４に示すように、ハンドル１２の長手方向Ｙの第１端部１２ａには、一対のローラー支持体２０１、２０２がそれぞれ設けられている。また、ハンドル１２の長手方向Ｙの第２端部１２ｂには、一対のローラー支持体２０３、２０４がそれぞれ設けられている。そして、図２に示すように、４個のローラー支持体２０１〜２０４はそれぞれ、仮想基準平面Ｖ上において、長辺７０１と短辺７０２とを有する仮想長方形７０の頂点７１、７２、７３、７４に位置している。
【００２３】
図２〜図８に示すように、ローラー支持体２０１〜２０４は互いに同一の構造を有する。図８に示すように、第１のローラー支持体２０１には、一対のローラーシャフト２１１、２１２を介して、２個のローラー２７１、２７２が回転可能に設けられている。そして、２個のローラー２７１、２７２、ローラーシャフト２１１、２１２及びローラー支持体２０１により、ローラーユニット２０が形成されている。同様に、ローラー支持体２０２〜２０４にもそれぞれ、一対のローラーシャフト２１１、２１２を介して、２個のローラー２７３〜２７８が回転可能に設けられており、２個のローラー２７３〜２７８、ローラーシャフト２１１、２１２及びローラー支持体２０２〜２０４により、ローラーユニット２０がそれぞれ形成されている。
【００２４】
図９に示すように、ローラー支持体２０１は、ユニットベース２３、前側ユニットカバー２４１及び後側ユニットカバー２４２から構成されている。そして、図９、図１０に示すように、一対のローラーシャフト２１１、２１２は、ユニットベース２３に形成された一対の円筒部２３１、２３２にそれぞれ挿通されている。一対のローラーシャフト２１１、２１２の基端２１１ｂ、２１２ｂは、円筒部２３１、２３２からそれぞれ露出している。一対のローラーシャフト２１１、２１２の基端２１１ｂ、２１２ｂには、縮径された括れ部２１３、２１４が設けられており、括れ部２１３、２１４のさらに基端側には、括れ部２１３、２１４よりも拡径された抜け止め頭部２１５、２１６が形成されている。そして、一対のローラーシャフト２１１、２１２は、固定端である基端２１１ｂ、２１２ｂから自由端である先端２１１ａ、２１２ａに向かうほど互いに離れるように、先広がり状に設けられている。
【００２５】
図１０に示すように、ユニットベース２３には、一対の円筒部２３１、２３２の間にシャフトホルダー２２が配置されている。シャフトホルダー２２の両端部には、図９、図１１に示すように一対のローラーシャフト２１１、２１２の括れ部２１３、２１４を押さえるための半円筒状の押さえ部２２１、２２２が形成されている。そして、図１１に示すように、シャフトホルダー２２は、シャフトホルダー２２の押さえ部２２ａにより両一対のローラーシャフト２１１、２１２の括れ部２１３、２１４が押さえられた状態で、ネジ２２４（図９参照）によりユニットベース２３及び後述の後側ユニットカバー２４２に固定されている。これにより、各一対のローラーシャフト２１１、２１２は、ユニットベース２３の支持筒２３１、２３２に嵌合した状態で支持されており、抜け止めされている。そして、図９に示すように、ユニットベース２３は、前側ユニットカバー２４１、後側ユニットカバー２４２に覆われている。前側ユニットカバー２４１、後側ユニットカバー２４２には、それぞれ半円筒状の支持筒カバー部２４１ａ、２４１ｂ、２４２ａ、２４２ｂが形成されており、一対の支持筒２３１、２３２を覆っている。
【００２６】
図９、図１０に示すように、支持筒カバー部２４１ａ、２４１ｂ、２４２ａ、２４２ｂには、合成樹脂よりなる円筒状のキャップ２５が嵌着されている。キャップ２５より、支持筒カバー部２４１ａ、２４１ｂ、２４２ａ、２４２ｂ及び支持筒２３１、２３２がシールされるとともに、ローラーシャフト２１１、２１２のガタツキが防止されている。また、キャップ２４によって、ローラー支持体２０１と後述するローラー２７１、２７２の外表面との間の電気絶縁性が確保されている。
【００２７】
図９、図１０に示すように、ベアリング４０の外周面には、係止爪４３が径方向外方に突出形成されている。係止爪４３には、後述するローラー２７１、２７２の段差部２８１が係合する。また、ベアリング４０の端部には、径方向外方Ｙ１に拡径してなる拡径部４４が形成されている。そして、係止爪４３と拡径部４４との間に段差部２８１が位置している。段差部２８１は、係止爪４３及び拡径部４４に当接して、両者に挟持されている。これにより、ローラー２７１、２７２はローラーシャフト２１１、２１２に対する位置決めがなされるとともに、ローラー２７１、２７２のガタツキが低減されている。
【００２８】
図９に示すように、ローラーシャフト２１１、２１２には、ベアリング４０が取り付けられている。ベアリング４０は合成樹脂よりなり、円筒状をなしている。ベアリング４０は、図９、図１０に示すように、その内側にローラーシャフト２１１、２１２が挿通されるとともに、ローラーシャフト２１１、２１２の先端２１１ａ、２１２ａに取り付けられたストップリング２５によりベアリングスペーサ４２を介して抜け止め固定されている。ベアリング４０の表裏両面を含む外側全面には金属メッキが施され、ベアリング４０とローラーシャフト２１１、２１２との間の導電が確保されている。また、金属メッキに代えて、ベアリング４０を導電性樹脂によって構成することにより両者の導電を確保してもよい。
【００２９】
図１、図２に示すように、ローラー２７１〜２７８は、球形状を若干引き延ばした形状をなしており、実質的に球状をなしている。本明細書では、かかる形状を含めて球状というものとする。そして、図９、図１０に示すように、ローラー２７１、２７２は、ローラーシャフト２１１、２１２に設けられたベアリング４０を介して、ローラーシャフト２１１、２１２にベアリング４０とともに回転可能に支持されている。これにより、ローラー２７１、２７２は、一対のローラーシャフト２１１、２１２の先端２１１ａ、２１２ａを覆う様にそれぞれ設けられている。ローラー２７３〜２７８も同様に設けられている。そして、図３、図４に示すように、ローラー２７１〜２７８はすべて、少なくともローラー支持体２０１〜２０４が初期位置にある場合に、ハンドル１２よりも下方Ｚ２に位置している。
【００３０】
図１０に示すように、ローラー２７１、２７２は、合成樹脂よりなる芯材２６１と、芯材２６１の先端内周に嵌着された合成樹脂よりなるキャップ材２６２と、芯材２６１及びキャップ材２６２の外周に被覆成形された合成樹脂よりなる外被材２６３とから構成されている。外被材２６３の外表面には、導電部としての導電金属メッキが施され、ベアリング４０との間の導電が確保されている。そして、図８に示すように、ローラ２７１、２７２の外周面には、多数の三角形の平面が連続的に形成されたいわゆるダイヤカットが施されている。図１０に示すように、芯材２６１の内側には、ベアリング４０が挿入配置される空間２８２が形成されている。そして、空間２８２の内壁面には、係止爪４３に係合可能な段差部２８１が形成されている。空間２８２にベアリング４０が挿入配置されて、係止爪４３が段差部２８１に係合されることにより、ローラー２７１、２７２がベアリング４０に対して抜け止めされている。他のローラー支持体２０２〜２０４においてもローラー２７３〜２７８も同様に構成されている。
【００３１】
図２に示すように、ローラー支持体２０１〜２０４は、ハンドル１２に対して回転可能に支持する回転支持部としてのローラーユニットシャフト３０により、ハンドル１２に回転可能に支持されている。図１１に示すように、ローラー支持体２０１〜２０４には、ローラーユニットシャフト３０が接続されるためのシャフト取付部２３３が形成されている。ローラーユニットシャフト３０は略棒状を成しており、本例におけるローラー支持体２０１〜２０４（ローラーユニット２０）の回転軸線３０３を規定している。シャフト取付部２３３は、略円筒状を成しており、その内側にローラーユニットシャフト３０の先端３０１（図９参照）が挿通される。図１２に示すように、ローラーユニットシャフト３０の先端３０１には、外周面にねじ切りが施された雄ネジ部３０５が形成されている。雄ネジ部３０５の基端側Ｐ２には、ローラーユニットシャフト３０の外周面を縮径すると共に一部を切り欠いてＤ字型部３０４が形成されている。
【００３２】
そして、図９、図１１に示すように、ローラーユニットシャフト３０がシャフト取付部２３３に挿通されて、雄ネジ部３０５及びＤ字型部３０４はシャフト取付部２３３から突出するとともに、ワッシャ３１及びナット３２が取り付けられている。図９、図１２に示すように、ワッシャ３１は内側形状がＤ字型部３０４に沿うＤ字型を成しているとともに、ワッシャ３１の厚さとＤ字型部３０４の高さが略同一となっている。これにより、ローラーユニットシャフト３０がシャフト取付部２３３に回転可能に抜け止め固定されている。そして、ワッシャ３１の内側形状がＤ字型部３０４に沿うＤ字型を成していることにより、ローラー２７１〜２７８を回転させても、これに伴ってワッシャ３１が回転しない。そのため、ローラー２７１〜２７８の回転力がナット３２に伝わらないことから、ローラー２７１〜２７８の回転に伴うナット３２の緩みが防止される。さらに、図５、図１１に示すように、ローラーユニットシャフト３０の先端面３０１ａには、シャフトホルダー２２に形成された凸片２２３が当接している。これにより、ローラーユニットシャフト３０とシャフトホルダー２２の導電が確保されている。
【００３３】
図５に示すように、ローラーユニットシャフト３０の基端３０２にはネジ孔３０２ａが形成されている。ハンドル１２の先端１２ａの内部におけるベース体１３には、内面がローラーユニットシャフト３０の基端３０２の側面に沿った形状を有する筒状のローラーユニットシャフト取り付け部１２１が形成されている。そして、ローラーユニットシャフト３０の基端３０２がローラーユニットシャフト取り付け部１２１の内側に位置した状態で、ネジ１２２がネジ孔３０２ａに螺入されることにより、ローラーユニットシャフト３０がローラーユニットシャフト取り付け部１２１にねじ止め固定されている。すなわち、ローラーユニットシャフト３０の先端３０１側はローラー支持体２０１、２０２にそれぞれ接続され、ローラーユニットシャフト３０の基端３０２側はハンドル１２の先端１２ａ（図２参照）に接続されている。そして、図１２に示すように、ローラーユニットシャフト３０の基端３０２には、基端３０２の側面の一部を切り欠いた切り欠き面３０２ｂが形成されている。これにより、ローラーユニットシャフト３０の基端３０２が、ローラーユニットシャフト取り付け部１２１内で回転することが防止され、ネジ１２２の緩みが防止されている。同様に、ローラー支持体２０２〜２０４もハンドル１２に回転可能に取り付けられている。
【００３４】
本例では、図２に示すように、４個のローラー支持体２０１〜２０４のうち、ローラー支持体２０１、２０２は、ハンドル１２の第１端部１２ａに回転可能に取り付けられており、ローラー支持体２０３、２０４は、ハンドル１２の第２端端１２ｂに回転可能に取り付けられている。そして、図２に示すように、２個のローラー支持体２０１、２０２における回転軸線３０３は、互いに同一平面Ｓ１上に位置している。また、他の２個のローラー支持体２０３、２０４における回転軸線３０３は、互いに同一平面Ｓ２上に位置している。
【００３５】
そして、図５、図７に示すように、ハンドル１２とローラー支持体２０１〜２０４との間には、ストッパリング３４が介在しており、ローラーユニットシャフト３０には、ねじりバネであるバネ３３が挿通されている。図５に示すように、バネ３３の一方の端部である第１端部３３１は、ユニットベース２３に形成された第１バネ係合部２３４に係合している。一方、バネ３３の他方の端部である第２端部３３２は、ハンドル１２の先端１２ａの内部におけるベース体１３に形成された第２バネ係合部１２５に係合している。これにより、ローラー支持体２０１が所定の初期位置に戻るように付勢されている。他のローラー支持体２０２〜２０４も同様に構成されている。
【００３６】
本例では、ローラー支持体２０１〜２０４は、図１〜図４に示す状態が初期位置となっている。そして、ローラー支持体２０１〜２０４は、当該初期位置を基準に、回転軸線３０３を回転中心として、図１３、図１４及び図１５に示す−９０°から、図１６、図１７及び図１８に示す９０°の範囲で回転することができる。そして、図１３、図１６に示すように、ローラー支持体２０１、２０２、２０３、２０４に設けられたローラー２７１〜２７８における可動軌跡Ｒ１、Ｒ２、Ｒ３、Ｒ４は互いに離間している。これにより、互いの可動範囲が重なり合わない。
【００３７】
図３に示すように、所定の側方Ｙ２から見て、隣り合う少なくとも２個のローラー支持体２０１、２０２における回転軸線３０３は、ハンドル１２から下方Ｚ２に向かうにつれて互いに離隔している。本例では、２個のローラー支持体２０１、２０２における回転軸線３０３のなす角αは、１００°となっている。
【００３８】
図２に示すように、一対のローラー支持体２０１、２０２は、それぞれのローラーユニットシャフト３０の回転軸線３０３が同一平面Ｓ１上に位置するように、ハンドル１２の第１端部１２ａにおいて、ハンドル１２の中心を通る仮想直線Ｌ１を基準に対称に配置されている。そして、図４に示すように、短手方向Ｘから見て、一対のローラーユニットシャフト３０は、互いの回転軸線３０３が仮想基準平面Ｖと直交している。また、図２に示すように、ローラー支持体２０３、２０４もハンドル１２の第２端部１２ｂにおいて、同様に配置されている。
【００３９】
図１０に示すように、一対のローラーシャフト２１１、２１２は同一平面上に位置している。そして、図３に示すように、ローラーシャフト２１１、２１２は、ローラーユニットシャフト３０の回転軸線３０３に対して傾斜している。図１１に示すように、一対のローラーシャフト２１１、２１２が先広がり状となるようにシャフトホルダー２２に保持されている。本例では、図１０に示すように、同一平面上における一対のローラーシャフト２１１、２１２の軸線２１１ｃ、２１２ｃのなす角βは８０°となっている
【００４０】
図８に示すように、ローラー支持体２０１において、ローラーユニットシャフト３０の回転軸線３０３の方向Ｐから見て、ローラーユニットシャフト３０の回転軸線３０３が、一対のローラー２７１、２７２の重心Ｇ１、Ｇ２を通る仮想直線ＧＬから離れた位置にある。これにより、回転軸線３０３と仮想直線ＧＬとは、互いにねじれの位置にある。ローラー支持体２０２〜２０４においても、同様に構成されている。そして、ローラー支持体２０１〜２０４に備えられる８個のローラー２７１〜２７８の重心Ｇ１〜Ｇ８（図２参照）は、同一平面上に位置することができるように構成されている。
【００４１】
図７に示すように、ハンドル１２の上面には、第１カバー体１４におけるＹ１側及びＹ２側の二か所に透孔５１が形成されている。透孔５１には、透明な合成樹脂よりなる受光レンズ５２がシール材５３を介して嵌着されている。受光レンズ５２の内側（ハンドル１２の内部）において、ベース体１３に太陽電池パネル５４が配置されている。太陽電池パネルの出力端子５４ａは、図６に示すように、ハンドル１２の外表面と導通している導通ばね５５及びローラーユニットシャフト３０に接続されている。ローラーユニットシャフト３０からローラー２７１、２７２への導通は、シャフトホルダー２２、ローラーシャフト２１１、２１２、ベアリング４０を介して行われている。ハンドル１２とローラー２７１、２７２が肌面６０に触れた際に閉回路が形成され、人体へ微弱電流が流れる。それにより、人体の細胞が刺激され、活性化し美容効果が得られる。シール材５３はハンドル１２内への水の侵入を防止している。
【００４２】
図５に示すように、本例の美容器１は、ハンドル１２を把持してローラー２７１〜２７８を肌面６０に当接させた状態で、ハンドル１２の長手方向Ｙに移動させて使用する。そして、肌面６０におけるローラー２７１との接触領域の中心位置６１とローラーユニットシャフト３０の回転軸線３０３と肌面６０との交点位置６２との距離がトレール長ＴＬとなる。
【００４３】
そして、図１３〜図１５、図２１に示すように、美容器１により、８個のローラー２７１〜２７８で、人の脇腹の肌面を抱え込むようにしたり、図１６〜図１８、図２２に示すように、８個のローラー２７１〜２７８で人の腕の肌面を抱え込むようにしたりして、マッサージすることができる。また、図２３に示すように、ハンドル１２の長手方向Ｙが腕の長手方向に略直交する状態で、一対のローラー支持体２０１、２０２に設けられた４個のローラー２７１〜２７４を、腕に当接させて美容器１を腕の長手方向に動かすことにより、当該４個のローラー２７１〜２７４で腕をマッサージすることもできる。このとき、使用者は美容器１を肌面に当てることで、ローラー支持体２０１、２０２をそれぞれに設けられたローラー２７１〜２７４が肌面に沿いやすいように回転させることができる。
また、図１９、図２０に示すように、美容器１は、８個のローラー２７１〜２７８が同一平面Ｓ３に接することができるように構成されている。
【００４４】
次に、本実施例の美容器１における作用効果について、詳述する。
本例の美容器１によれば、各ローラー２７１〜２７８は、ハンドル１２よりも下方Ｚ２に位置しており、ローラー支持体２０１〜２０４におけるハンドル１２に対する回転軸線３０３と、当該ローラー支持体２０１〜２０４に設けられた２個のローラー２７１、２７２の両重心Ｇ１、Ｇ２を通る仮想直線ＧＬとが、互いにねじれの位置にあるように構成されている。そして、所定の側方Ｙ２から見て、隣り合う少なくとも２個のローラー支持体２０１、２０２における回転軸線３０３は、ハンドル１２から下方Ｚ２に進むにつれて互いに離隔している。そのため、腕、足、腰、脇腹などの比較的大きく湾曲する肌面６０に合計８個のローラー２７１〜２７８のすべてを当接させた状態で肌面６０に沿わせて動かすことができるとともに、合計８個のローラー２７１〜２７８によってこれらの様々な部分を抱え込むように施術することができる。また、この構成を有することにより、肌面６０にローラー２７１〜２７８を追従させやすくなり、施術時に手首を過度にひねったりする必要がないため、使い勝手がよい。
【００４５】
例えば、従来の構成の美容器では、使用時において、ハンドルを右手で把持して左わき腹を施術する場合には、ローラーを肌面に当てるために、手首を大きく捻ってハンドルを肌面に対して立てた状態にしなければならない。しかしながら、本例の美容器１によれば、ハンドル１２を右手で把持して左わき腹に施術する場合であっても、ローラー支持体２０１〜２０４が回動することにより、手首を大きく捻ってハンドル１２を肌面６０に対して立てなくても、ローラー２７１〜２７８を肌面６０に当てて施術することができる。これにより、使い勝手が一層向上する。
【００４６】
さらに、本例の美容器１は、可動箇所が比較的少なくなっており、構成が簡素化されているが、その上で、８個のローラー２７１〜２７８によって肌面を抱え込むことによって、ローラーと肌面との密着性を高めて、高いマッサージ効果を奏することができる。
【００４７】
また、本例では、４個のローラー支持体２０１〜２０４は、仮想基準平面Ｖ上において、仮想長方形７０の頂点７１〜７４に位置している。これにより、隣り合うローラー支持体２０１〜２０４の間隔が、当該仮想長方形７０の長辺７０１に相当して長い長間隔部と、当該仮想長方形の短辺７０２に相当して短い短間隔部との２種類存在することとなる。これにより、隣り合うローラー支持体２０１〜２０４におけるローラー２７１〜２７８の間隔も、長い間隔の部分と短い間隔の部分とが形成される。そして、施術する部位に合わせて移動方向を変えることで、ローラー２７１〜２７８の間隔の長い間隔の部分及び短い間隔の部分のどちらで施術するかを使用者が適宜選択することができ、使い勝手が一層向上する。
【００４８】
また、本例では、４個のローラー支持体２０１〜２０４のうち、２個のローラー支持体２０１、２０２における回転軸線３０３は、互いに同一平面Ｓ１上に位置している。これにより、当該２個のローラー支持体２０１、２０２におけるローラー２７１〜２７４間で肌面の抱え込みがしやすくなり、使い勝手が向上する。
【００４９】
また、本例では、４個のローラー支持体２０１〜２０４のうち、他の２個のローラー支持体２０３、２０４における回転軸線３０３は、互いに同一平面Ｓ２上に位置している。これにより、さらに、２個のローラー支持体２０１、２０２に加え、さらに当該２個のローラー支持体２０３、２０４におけるローラー２７５〜２７８間で肌面６０の抱え込みがしやすくなり、使い勝手がさらに向上する。
【００５０】
また、本例では、ハンドル１２は、上方Ｚ１に突出するようにアーチ状に湾曲している。これにより、ハンドル１２を片手で把持した状態ですべてのローラー２７１〜２７８を肌面６０に接するようにしやすくなっている。また、ハンドル１２からの力が、各ローラー２７１〜２７８に伝達しやすくなり、ローラー２７１〜２７８を体に強く押し付ける事ができる。
【００５１】
また、本例では、各ローラー支持体２０１〜２０４における２個のローラー２７１〜２７８は、それぞれローラー支持体２０１に支持されて自由端側が開くように傾斜された一対のローラーシャフト２１１、２１２の自由端である先端２１１ａ、２１２ａに回転可能に支持されている。これにより、ローラー２７１〜２７８の回転軸線３０３が先広がり状に配置されるため、２個のローラー２７１〜２７８の回転軸線３０３が進行方向に対して、前傾している際にはローラー２７１〜２７８が肌面６０上で周囲の皮膚を下方に押し広げる様に回転することによって肌面６０を押圧することができ、後傾している際にはローラー２７１〜２７８が肌面６０上で周囲の皮膚を上に持ち上げる様に巻き込むことによって肌面６０を摘み上げることができ、高いマッサージ効果を奏する。さらに、摘み上げの状態ではローラー２７１〜２７８と肌面との密着性が一層高まるため、ローラー２７１〜２７８と肌面６０とが密着した状態が維持されやすくなる。その結果、美容器１を肌面６０に沿わせて動かしたときにおけるローラー２７１〜２７８の追従性が向上する。
【００５２】
また、本例では、ローラー２７１〜２７８の形状は、球状となっている。これにより、ローラー２７１〜２７８の表面の広い範囲を肌面６０に当接させやすくなり、マッサージ効果を一層向上することができる。
【００５３】
なお、ローラー２７１〜２７８の形状は、球状のほか、楕円球状、ラグビーボール状、ひょうたん状、だるま状及びこれらを組み合わせてなる形状のいずれかの形状をなすようにすることができる。例えば、ローラー２７１〜２７８は、図２４（ａ）に示すように楕円球状としたり、図２４（ｂ）に示すようにひょうたん状としたり、図２４（ｃ）に示すようにだるま状としたりしてもよい。これらの場合も、ローラー２７１〜２７８の表面の広い範囲を肌面６０に当接させやすくなり、マッサージ効果を一層向上することができる。
【００５４】
また、図２４（ｄ）に示すように、ローラー２７１〜２７８の表面に複数のリブ状の突起２１ａ及び複数の筋状の溝２７ｂが形成されていても良い。この場合は、突起２７１ａ及び溝２７１ｂにより、肌面の押圧効果が高まるとともに、肌面の摘み上げ効果を向上させることもできる。
【００５５】
また、本例では、４個のローラー支持体２０１〜２０４は、互いに異なるローラー支持体２０１〜２０４に支持されたローラー２７１〜２７８の可動軌跡Ｒ１〜Ｒ４が離間するように構成されている。これにより、異なるローラー支持体２０１〜２０４の間で、隣り合うローラー２７１〜２７８が互いに接触することが防止される。その結果、隣り合うローラー２７１〜２７８間に肌が挟まれることを抑制できる。
【００５６】
なお、本例では、ローラー支持体２０１〜２０４は、初期位置を基準位置とし、該基準位置から回転軸線３０３を中心として−９０°〜９０°回転可能に構成されていることとしたが、これに替えて、回転軸線３０３を中心として少なくとも３６０°回転可能に構成されていることとしてもよい。この場合には、ローラー支持体２０１〜２０４を介してローラー２７１〜２７８を少なくとも１回転以上まわすことができ、使い勝手が一層向上する。
【００５７】
また、本例では、８個のローラー２７１〜２７８が、同時に同一平面Ｓ３に接することが可能なように構成されている。これにより、８個のローラー２７１〜２７８が確実に肌に接してマッサージ効果を奏することができる。
【００５８】
なお、本例では、ローラー支持体２０１〜２０４をハンドル１２に回転可能に支持する回転支持部としてローラーユニットシャフト３０を採用したが、回転支持部の構成はこれに限らず、公知の構成を採用することができ、例えば、下記の（１）〜（５）に示す変形例のようにしてもよい。
【００５９】
（１）ローラー支持体２０１〜２０４にローラーユニットシャフト３０を固定し、ハンドル１２内部にて、ローラーユニットシャフト３０を回転可能に設けることにより、ローラー支持体２０１〜２０４がハンドル１２に回転可能に支持されるようにしてもよい。
【００６０】
（２）外輪と、外輪の内側に同軸上に設けられた内輪と、両者の間に保持された複数の転動体とを有するラジアルボールベアリングを備え、外輪及び内輪の一方にハンドル１２を固定し、他方にローラー支持体２０１〜２０４を固定し、ローラー支持体２０１〜２０４がハンドル１２に回転可能に支持されるようにしてもよい。この場合は、外輪及び内輪の軸線が、ローラー支持体２０１〜２０４の回転軸線３０３となる。
【００６１】
（３）２枚の軌道板で複数の転動体を挟み込み、該転動体を介して軌道板が互いに回転可能に構成されたスラストボールベアリングを備え、２枚の軌道板の一方にハンドル１２を固定し、他方にローラー支持体２０１〜２０４を固定し、ローラー支持体２０１〜２０４がハンドル１２に回転可能に支持されるようにしてもよい。この場合は、各軌道板の回転中心を通る仮想線が、ローラー支持体２０１〜２０４の回転軸線３０３となる。
【００６２】
（４）ハンドル１２及びローラー支持体２０１〜２０４において、一方に筒状を成す外筒部を形成し、他方に当該外筒部の内径に沿った外径を有する内筒部を形成するとともに、外筒部の内側に内筒部を挿通して、内筒部が外筒部に対して同軸回転可能な滑り軸受を形成することにより、ローラー支持体２０１〜２０４がハンドル１２に回転可能に支持されるようにしてもよい。なお、内筒部は外筒部に挿通した状態で抜け止めされるように、例えば、内筒部の先端に外筒部の内壁に係合する係合部を設けたり、外筒部の先端に内筒部の外壁に係合する係合部を設けたりすることができる。この場合は、外筒部及び内筒部の軸線がローラー支持体２０１〜２０４の回転軸線３０３となる。
【００６３】
（５）ハンドル１２及びローラー支持体２０１〜２０４において、一方に棒状の基部と該基部の先端に基部よりも径の大きい球状部を有する球状突起を形成し、他方に該球状突起の外形に沿った凹形状を有す孔部を形成し、球状突起を孔部に嵌め込んで滑り軸受を形成することにより、ローラー支持体２０１〜２０４がハンドル１２に回転可能に支持されるようにしてもよい。この場合は、球状突起の基部の中心線がローラー支持体２０１〜２０４の回転軸線３０３となる。
【００６４】
以上のように、本例によれば、体の様々な部位に使用できて使い勝手のよい美容器１を提供することができる。
【００６５】
（実施例２）
実施例２における美容器１では、図２５、図２６に示すように、ハンドル１２の第１端部１２ａに把持可能な第１把持部１２８が形成されており、第２端部１２ｂに把持可能な第２把持部１２９が形成されている。第１把持部１２８は略棒状であって、長手方向Ｙの第１端部方向Ｙ１に突出している。第２把持部１２９は、長手方向Ｙの第２端部方向Ｙ２に突出している。なお、実施例１と同等の構成には同一の符号を付してその説明を省略する。
【００６６】
本例の美容器１によれば、ハンドル１２に設けられた第１把持部１２８及び第２把持部１２９を把持して施術することができる。特に、エステティシャンなどが他人に施術する場合などに両手で第１把持部１２８と第２把持部１２９とを把持することにより、当該美容器１を安定して把持することができる。そのため、第１把持部１２８及び第２把持部１２９を介して美容器１に掛ける力加減の調整が容易となるとともに、より強く肌面に押圧することもできる。これにより、マッサージ効果の向上が図られる。
【００６７】
以下の（６）〜（１３）にその他の変形例を示す。
（６）上記実施例では、図１０に示すように、ベアリング４０に設けられた係止爪４３をローラー２７１、２７２に設けられた段差部２８１に係合して両者を互いに固定したが、これに替えて、ローラー２７１、２７２に設けられた爪をベアリング４０に設けられた段差部に係合して両者を互いに固定してもよい。
（７）上記実施例では、ハンドル１２を手で把持し、手動で肌面６０に沿わせて動かして使用することを想定しているが、例えばマッサージチェアのような動力付きマッサージ器に上記実施例におけるハンドル１２を取り付けることにより、上記実施例の美容器１が自動的に肌面６０に沿って動くようにしても良い。
（８）肌に微弱電流を流すための電源として、上記実施例では太陽電池を使用したが、これに替えて、乾電池等の電源を使用してもよい。
（９）上記実施例では、使用者がハンドル１２を把持するとともにローラー２７１〜２７８が肌面６０に当接することにより、人体を介してハンドル１２とローラー２７１〜２７８が電気的に接続されて閉回路が形成されるように通電経路を設定したが、これに替えて各ローラー２７１〜２７８が肌面６０に当接することにより、人体を介して任意のローラー２７１〜２７８間に閉回路が形成されるように通電経路を設定してもよい。
（１０）上記実施例では、ローラーシャフト２１１、２１２はローラー支持体２０１〜２０４に固定されているとともに、ローラー２７１〜２７８を回転可能に支持していることとしたが、これに替えて、ローラーシャフト２１１、２１２はローラー支持体２０１〜２０４に回転可能に支持されるとともに、ローラー２７１〜２７８が固定されていてもよい。すなわち、ローラー２７１〜２７８がローラーシャフト２１１、２１２と一体的に回転可能に設けられるようにしてもよい。
（１１）ローラー支持体２０１〜２０４は、ローラー２７１〜２７８とは別に、押圧用突起や回転可能な施術部を備えていてもよい。
（１２）ローラー２７１〜２７８の可動軌跡Ｒ〜Ｒ４は、安全性が確保される場合には、重なっていても良い。
（１３）ローラー支持体２０１〜２０４は、ハンドル１２に対してラチェット機構による段階的な変位や、回転ロック機構を設けても良い。この場合、好みのローラー配置での継続的な使用が可能となる。
【符号の説明】
【００６８】
１  美容器
１２  ハンドル
２０１、２０２、２０３、２０４  ローラー支持体
２７１、２７２、２７３、２７４、２７５、２７６、２７７、２７８  ローラー
２１１、２１２  ローラーシャフト
３０  ローラーユニットシャフト
３０３  回転軸線
Ｇ１、Ｇ２、Ｇ３、Ｇ４、Ｇ５、Ｇ６、Ｇ７、Ｇ８  重心
ＧＬ  仮想直線
Ｖ  仮想基準平面
【図１】
0006718765.tif 000002
【図２】
0006718765.tif 000003
【図３】
0006718765.tif 000004
【図４】
0006718765.tif 000005
【図５】
0006718765.tif 000006
【図６】
0006718765.tif 000007
【図７】
0006718765.tif 000008
【図８】
0006718765.tif 000009
【図９】
0006718765.tif 000010
【図１０】
0006718765.tif 000011
【図１１】
0006718765.tif 000012
【図１２】
0006718765.tif 000013
【図１３】
0006718765.tif 000014
【図１４】
0006718765.tif 000015
【図１５】
0006718765.tif 000016
【図１６】
0006718765.tif 000017
【図１７】
0006718765.tif 000018
【図１８】
0006718765.tif 000019
【図１９】
0006718765.tif 000020
【図２０】
0006718765.tif 000021
【図２１】
0006718765.tif 000022
【図２２】
0006718765.tif 000023
【図２３】
0006718765.tif 000024
【図２４】
0006718765.tif 000025
【図２５】
0006718765.tif 000026
【図２６】
0006718765.tif 000027